(57)【特許請求の範囲】
【請求項１】
縫い針と布とを相対的に移動させて縫製を行う縫製装置において、
縫製模様の形状に対応する縫製模様データに基づき、縫製模様を表示する第１表示手段と、
当該第１表示手段によって表示された縫製模様を選択するための縫製模様選択手段と、
当該選択された縫製模様の全体を配置設定する第１配置設定手段と、
前記選択された縫製模様を一部分毎に配置設定する第２配置設定手段と、
前記第１配置設定手段による配置設定と、前記第２配置設定手段による配置設定とのいずれか一方を選択するための選択手段と、
当該選択手段によって前記第１配置設定手段が選択された場合、前記第１配置設定手段による縫製模様の全体の配置設定に対応させて、前記縫い針と前記布とを相対的に移動させ、前記選択手段によって前記第２配置設定手段が選択された場合、前記第２配置設定手段による縫製模様の配置設定の間、前記縫い針と前記布との相対移動を休止させる移動手段と、
を備えていることを特徴とする縫製装置。
【請求項２】
前記選択手段によって前記第１配置設定手段が選択された場合、前記第１配置設定手段による縫製模様の全体の配置設定に対応させて前記縫製模様を表示し、前記選択手段によって前記第２配置設定手段が選択された場合、前記選択された縫製模様の一部分毎の配置設定に対応させて前記縫製模様を表示する第２表示手段を更に備えていることを特徴とする請求項１に記載の縫製装置。
【請求項３】
前記選択手段によって前記第１配置設定手段が選択された場合に、前記縫い針と前記布とが相対的に移動する前に、前記縫い針と前記布とが相対的に移動する旨を報知する報知手段を更に備えていることを特徴とする請求項１または２に記載の縫製装置。
【請求項４】
前記選択手段によって前記第２配置設定手段が選択された場合、前記第２配置設定手段による縫製模様の配置設定の間、前記縫い針と前記布とを選択的に相対移動させるための手段を更に備えていることを特徴とする請求項１乃至３のいづれか一項に記載の縫製装置。
【請求項５】
縫い針と布とを相対的に移動させて縫製を行う縫製装置において、
縫製模様の形状に対応する縫製模様データに基づき、縫製模様を表示する第１表示手段と、
当該第１表示手段によって表示された縫製模様を選択するための縫製模様選択手段と、
当該選択された縫製模様の全体を編集する第１編集手段と、
前記選択された縫製模様を一部分毎に編集する第２編集手段と、
前記第１編集手段による編集と、前記第２編集手段による編集とのいずれか一方を選択するための選択手段と、
当該選択手段によって前記第１編集手段が選択された場合、前記第１編集手段による縫製模様の全体の編集に対応させて、前記縫い針と前記布とを相対的に移動させ、前記選択手段によって前記第２編集手段が選択された場合、前記第２編集手段による縫製模様の編集の間、前記縫い針と前記布との相対移動を休止させる移動手段と、
を備えていることを特徴とする縫製装置。
【請求項６】
前記選択手段によって前記第１編集手段が選択された場合、前記第１編集手段による縫製模様の全体の編集に対応させて前記縫製模様を表示し、前記選択手段によって前記第２編集手段が選択された場合、前記選択された縫製模様の一部分毎の編集に対応させて前記縫製模様を表示する第２表示手段を更に備えていることを特徴とする請求項５に記載の縫製装置。
【請求項７】
前記選択手段によって前記第１編集手段が選択された場合に、前記縫い針と前記布とが相対的に移動する前に、前記縫い針と前記布とが相対的に移動する旨を報知する報知手段を更に備えていることを特徴とする請求項５または６に記載の縫製装置。
【請求項８】
前記選択手段によって前記第２編集手段が選択された場合、前記第２編集手段による縫製模様の編集の間、前記縫い針と前記布とを選択的に相対移動させるための手段を更に備えていることを特徴とする請求項５乃至７のいづれか一項に記載の縫製装置。
【発明の詳細な説明】
【０００１】
【発明の属する技術分野】
本発明は、刺繍を形成するための縫製模様データを処理して縫製を行う縫製装置の分野に属する。
【０００２】
【従来の技術】
従来より、例えば工業用ミシンの分野においては、マイクロコンピュータを利用して精度の高い刺繍データを短時間で作成する縫製データ処理装置が提供されている。その縫製データ処理装置は、例えば汎用のパーソナルコンピュータシステムに、イメージスキャナ、キーボード、マウス、ハードディスクドライブ、ＣＲＴディスプレイ等を接続して構成されており、任意の刺繍図柄の原画から、多色縫いの刺繍データを作成することができるようになっている。
【０００３】
一般に、このような縫製模様データを処理する装置を備えている縫製装置では、液晶画面に表示された刺繍図柄の中から任意の刺繍模様が選択され、配置設定される。この時、選択された刺繍模様の刺繍データは内部ＲＯＭまたは外部記憶媒体から読み出され、配置設定の状態に応じて変更され、当該変更された刺繍データに基づき、刺繍が施される布の張られた刺繍枠が縫い針に対して相対的に移動し、縫製が行われるように構成されている。
【０００４】
ところで、刺繍模様が縫製される場合としては、１つの刺繍模様のみが選択・縫製される場合と、複数の刺繍模様が選択・縫製される場合とがある。前者の場合には、模様の配置設定が一回で終了するので、刺繍模様の配置設定に対応して縫い針に対して刺繍枠が相対的に移動したとしても、刺繍枠の移動も一回で終了する。
【０００５】
【発明が解決しようとする課題】
しかし、複数の刺繍模様が選択・縫製される場合、刺繍模様の配置設定が行われる度毎に縫い針に対して刺繍枠が相対的に移動すると、移動にともなって、電力の浪費及び騒音が生じるといった問題点が生じていた。
【０００６】
本発明は、上記の点に鑑みてなされたものであり、縫製模様の配置設定の間に縫い針と刺繍枠に張られた布との相対移動を休止させる縫製装置を提供することを課題とする。
【０００７】
【課題を解決するための手段】
上記課題を解決するために、請求項１記載の発明は、縫い針と布とを相対的に移動させて縫製を行う縫製装置において、縫製模様の形状に対応する縫製模様データに基づき、縫製模様を表示する第１表示手段と、当該第１表示手段によって表示された縫製模様を選択するための縫製模様選択手段と、当該選択された縫製模様の全体を配置設定する第１配置設定手段と、前記選択された縫製模様を一部分毎に配置設定する第２配置設定手段と、前記第１配置設定手段による配置設定と、前記第２配置設定手段による配置設定とのいずれか一方を選択するための選択手段と、当該選択手段によって前記第１配置設定手段が選択された場合、前記第１配置設定手段による縫製模様の全体の配置設定に対応させて、前記縫い針と前記布とを相対的に移動させ、前記選択手段によって前記第２配置設定手段が選択された場合、前記第２配置設定手段による縫製模様の配置設定の間、前記縫い針と前記布との相対移動を休止させる移動手段と、を備えているように構成する。
【０００８】
上記のように構成された縫い針と布とを相対的に移動させて縫製を行う縫製装置によれば、縫製模様の形状に対応する縫製模様データに基づき、第１表示手段によって縫製模様が表示され、当該第１表示手段によって表示された縫製模様が、縫製模様選択手段によって選択される。一方、第１配置設定手段によって当該選択された縫製模様の全体が配置設定され、第２配置設定手段によって前記選択された縫製模様が一部分毎に配置設定される。前記第１配置設定手段による配置設定と、前記第２配置設定手段による配置設定とのいずれか一方が選択手段によって選択される。そして、当該選択手段によって前記第１配置設定手段が選択された場合、前記第１配置設定手段による縫製模様の全体の配置設定に対応させて、移動手段によって前記縫い針と前記布とが相対的に移動し、前記選択手段によって前記第２配置設定手段が選択された場合、前記第２配置設定手段による縫製模様の配置設定の間、移動手段による前記縫い針と前記布との相対移動が休止される。ここで、縫製模様とは、ボタンホール模様、ポケット縫い付けパターン等を含む広い概念である。
【０００９】
また、請求項２記載の発明は、請求項１記載の縫製装置において、前記選択手段によって前記第１配置設定手段が選択された場合、前記第１配置設定手段による縫製模様の全体の配置設定に対応させて前記縫製模様を表示し、前記選択手段によって前記第２配置設定手段が選択された場合、前記選択された縫製模様の一部分毎の配置設定に対応させて前記縫製模様を表示する第２表示手段を更に備えているように構成する。
【００１０】
上記のように構成された縫製装置によれば、前記選択手段によって前記第１配置設定手段が選択された場合、第２表示手段によって前記第１配置設定手段による縫製模様の全体の配置設定に対応させて前記縫製模様が表示され、また前記選択手段によって前記第２配置設定手段が選択された場合、第２表示手段によって前記選択された縫製模様の一部分毎の配置設定に対応させて前記縫製模様を表示する。
【００１１】
また、請求項３記載の発明は、請求項１または２記載の縫製装置において、前記選択手段によって前記第１配置設定手段が選択された場合に、前記縫い針と前記布とが相対的に移動する前に、前記縫い針と前記布とが相対的に移動する旨を報知する報知手段を更に備えているように構成する。
【００１２】
上記のように構成された縫製装置によれば、前記選択手段によって前記第１配置設定手段が選択された場合、報知手段によって、前記縫い針と前記布とが相対的に移動する前に、前記縫い針と前記布とが相対的に移動する旨が報知される。
【００１３】
また、請求項４記載の発明は、請求項１乃至３のいづれか一項に記載の縫製装置において、前記選択手段によって前記第２配置設定手段が選択された場合、前記第２配置設定手段による縫製模様の配置設定の間、前記縫い針と前記布とを選択的に相対移動させるための手段を更に備えているように構成する。
【００１４】
上記のように構成された縫製装置によれば、前記選択手段によって前記第２配置設定手段が選択された場合、前記第２配置設定手段による縫製模様の配置設定の間、前記縫い針と前記布とが選択的に相対移動する。
【００１５】
また、請求項５記載の発明は、縫い針と布とを相対的に移動させて縫製を行う縫製装置において、縫製模様の形状に対応する縫製模様データに基づき、縫製模様を表示する第１表示手段と、当該第１表示手段によって表示された縫製模様を選択するための縫製模様選択手段と、当該選択された縫製模様の全体を編集する第１編集手段と、前記選択された縫製模様を一部分毎に編集する第２編集手段と、前記第１編集手段による編集と、前記第２編集手段による編集とのいずれか一方を選択するための選択手段と、当該選択手段によって前記第１編集手段が選択された場合、前記第１編集手段による縫製模様の全体の編集に対応させて、前記縫い針と前記布とを相対的に移動させ、前記選択手段によって前記第２編集手段が選択された場合、前記第２編集手段による縫製模様の編集の間、前記縫い針と前記布との相対移動を休止させる移動手段と、を備えているように構成する。
【００１６】
上記のように構成された縫い針と布とを相対的に移動させて縫製を行う縫製装置によれば、縫製模様の形状に対応する縫製模様データに基づき、第１表示手段によって縫製模様が表示され、当該第１表示手段によって表示された縫製模様が、縫製模様選択手段によって選択される。一方、第１編集手段によって当該選択された縫製模様の全体が編集され、第２編集手段によって前記選択された縫製模様が一部分毎に編集される。前記第１編集手段による編集と、前記第２編集手段による編集とのいずれか一方が選択手段によって選択される。そして、当該選択手段によって前記第１編集手段が選択された場合、前記第１編集手段による縫製模様の全体の編集に対応させて、移動手段によって前記縫い針と前記布とが相対的に移動し、前記選択手段によって前記第２編集手段が選択された場合、前記第２編集手段による縫製模様の編集の間、移動手段による前記縫い針と前記布との相対移動が休止される。ここで、縫製模様とは、ボタンホール模様、ポケット縫い付けパターン等を含む広い概念である。
【００１７】
また、請求項６記載の発明は、請求項５記載の縫製装置において、前記選択手段によって前記第１編集手段が選択された場合、前記第１編集手段による縫製模様の全体の編集に対応させて前記縫製模様を表示し、前記選択手段によって前記第２編集手段が選択された場合、前記選択された縫製模様の一部分毎の編集に対応させて前記縫製模様を表示する第２表示手段を更に備えているように構成する。
【００１８】
上記のように構成された縫製装置によれば、前記選択手段によって前記第１編集手段が選択された場合、第２表示手段によって、前記第１編集手段による縫製模様の全体の編集に対応させて前記縫製模様が表示され、また前記選択手段によって前記第２編集手段が選択された場合、第２表示手段によって、前記選択された縫製模様の一部分毎の編集に対応させて前記縫製模様が表示される。
【００１９】
また、請求項７記載の発明は、請求項５または６記載の縫製装置において、前記選択手段によって前記第１編集手段が選択された場合に、前記縫い針と前記布とが相対的に移動する前に、前記縫い針と前記布とが相対的に移動する旨を報知する報知手段を更に備えているように構成する。
【００２０】
上記のように構成された縫製装置によれば、前記選択手段によって前記第１編集手段が選択された場合、前記縫い針と前記布とが相対的に移動する前に、前記縫い針と前記布とが相対的に移動する旨が報知される。
【００２１】
また、請求項８記載の発明は、請求項５乃至７のいづれか一項に記載の縫製装置において、前記選択手段によって前記第２編集手段が選択された場合、前記第２編集手段による縫製模様の編集の間、前記縫い針と前記布とを選択的に相対移動させるための手段を更に備えているように構成する。
【００２２】
上記のように構成された縫製装置によれば、前記選択手段によって前記第２編集手段が選択された場合、前記第２編集手段による縫製模様の編集の間、前記縫い針と前記布とが選択的に相対移動する。
【００２３】
【発明の実施の形態】
以下に、本発明の好適な実施の形態を図面を参照して説明する。なお、以下の説明は、本発明を家庭用刺繍ミシンに適用した場合について行なう。
【００２４】
まず、刺繍を行なうためのシステム全体について説明する。実際の刺繍作業は、まず刺繍データ処理回路により刺繍データを作成し、次にその刺繍データに基づき刺繍ミシンが希望の図柄の刺繍を行うという手順で行なわれる。
【００２５】
図１に、家庭用刺繍ミシンの外形を示す。刺繍ミシン２０は、ミシンベッド上に配置され、加工布２２を保持する刺繍枠２１を水平移動機構１２（図２）により装置固有のＸ−Ｙ座標系で示される所定位置に移動させつつ、縫い針２３による縫い動作を行なうことにより、加工布２２上に所定の図柄の刺繍を施す。刺繍ミシン２０は、外部記憶メモリを読み出すための装置であるフラッシュメモリ装置と、タッチパネル付き液晶画面２５と、刺繍データ処理回路と、制御装置とを備えて構成されている。作業者が刺繍データを記憶した外部記憶メモリとしてのフラッシュメモリ１０をフラッシュメモリ挿入口２４に挿入すると、記憶された刺繍データが読みだされる。刺繍データは通常、上記Ｘ−Ｙ座標系における針落ち点の位置を示す座標データを含んでいる。また、作業者は、タッチパネルを用いて刺繍データの編集を行い、編集された刺繍データが液晶画面に表示される。マイクロコンピュータ等から構成される制御装置は、刺繍データ処理回路によって編集された刺繍データに基づいて刺繍枠２１の水平移動機構１２等を制御し、加工布２２上に刺繍を施す。
【００２６】
ここでは、縫製用のデータに基づき、表示を行うミシンについて説明しているが、表示用のデータ及び刺繍用のデータ（針落ち位置を示すデータ）の２種類のデータが予めミシン内部のＲＯＭまたは外部ＲＯＭカードに記憶されているミシン、表示用のデータから刺繍位置データを作成するタイプのミシン、共通したデータから表示用データ及び刺繍用データを作成するミシンについても以下で説明する本発明の刺繍データ処理回路を適用できる。
【００２７】
次に、刺繍データ処理回路の構成について、図２を参照して説明する。
刺繍データ処理回路は、刺繍データ処理における種々の処理を行なうためのＣＰＵ２、種々の処理プログラムやデータを記憶するＲＯＭ３、及び、刺繍模様及び刺繍枠を構成する図形の画像データ等の種々のデータを記憶するＲＡＭ４を有している。後述する刺繍データ作成処理は、ＲＯＭ３または外部の記録媒体に記憶されたプログラムをＣＰＵ２が実行することにより行なわれる。
【００２８】
さらに、刺繍データ処理回路は、フラッシュメモリ装置５、インターフェイス６、及び入力部１１を有している。フラッシュメモリ１０は、フラッシュメモリ装置５内に挿入され、作成された刺繍データがフラッシュメモリ１０内に記憶される。入力部１１は、刺繍ミシン２０に配設された液晶画面上のタッチパネルによって構成され、後述する模様の選択及び配置の指示などの入力に用いられる。タッチパネルから入力された指示情報は、インターフェイス６を介してＣＰＵ２及びＲＡＭ４に供給される。
【００２９】
さらに、刺繍データ処理回路は、刺繍図柄の画像データや刺繍領域等を画面２５に表示するための液晶画面（ＬＣＤ）７、及び、液晶画面７を制御するための表示制御装置（ＬＣＤＣ）８、を備えている。また、表示制御装置８には、画像記憶装置（ＶＲＡＭ）９が接続され、モノクロのビットマップグラフィックス表示が可能なように構成されている。刺繍データ処理回路によって編集された刺繍データに基づいて刺繍枠２１の水平移動機構１２等が制御され、加工布２２上に刺繍が施される。なお、水平移動機構１２は、特開平４−３６４８８７号公報に開示されているように、パルスモータ、これによって作動するタイミングベルト及びタイミングベルト支持部材等で構成され、当該構成によって刺繍枠２１が移動する。
【００３０】
なお、上記の構成において、液晶画面７及び表示制御装置８が第１及び第２表示手段、報知手段に対応し、ＣＰＵ２、ＲＯＭ３、ＲＡＭ４、インターフェイス６及びタッチパネル１１が、縫製模様選択手段、第１並びに第２配置設定手段、第１並びに第２編集手段及び選択手段に対応し、制御装置及び水平移動機構１２が移動手段に対応している。
【００３１】
また、図３及び図４のフローチャートで、ステップＳ８及びＳ２８で第１表示手段が機能し、ステップＳ１０及びＳ３０で縫製模様選択手段が機能し、ステップＳ１２で第１配置設定手段及び第１編集手段が機能し、ステップＳ３６で第２配置設定手段及び第２編集手段が機能し、ステップＳ３で選択手段が機能し、ステップＳ５４で移動手段が機能し、ステップＳ４２及びＳ５２で第２表示手段が機能する。
【００３２】
次に、図３乃至図９を参照して、本発明による縫製データ処理回路の動作を説明する。
図３は、刺繍データの作成処理を示すフローチャートである。なお、以下の処理では、図５乃至図９に示す画面表示を例にとって説明する。ここで、図５は液晶画面に表示された模様種類選択画面の一例であり、図６は液晶画面に表示された模様選択画面の一例であり、図７及び図８はレイアウト画面の一例であり、図９は選択された模様を示す画面の一例である。
【００３３】
図３において、刺繍ミシン２０の電源がオンされると（ステップＳ２）、配置編集刺繍モードが選択されたか否かが判断される（ステップＳ３）。ここで、配置編集刺繍モードとは、選択された刺繍模様の一部分毎に配置設定が行われるモードであり、当該モードが選択されない場合には、選択された刺繍模様の全体を一律の配置状態で配置する。具体的には後述する。
【００３４】
配置編集刺繍モードが選択された場合（ステップＳ３，ＹＥＳ）には、図５に示す模様種類選択画面が液晶画面２５に表示される（ステップＳ４）。次に、刺繍データ処理回路は、表示された模様種類選択画面の中から１つの模様種類が選択されるまで待機状態となる（ステップＳ６）。ここでは、図５の模様種類１０１が選択されたものとする。図５の模様種類１０１が選択されると（ステップＳ６，ＹＥＳ）、図６に示す模様選択画面が液晶画面２５に表示される（ステップＳ８）。
【００３５】
この時、「戻る」（戻るキー）が押されると（ステップＳ９，ＹＥＳ）、模様種類選択画面（図５）に再び戻り、上記ステップＳ４〜Ｓ９が繰り返される。
一方、模様選択画面（図６）が表示されている時に、表示された模様の中から刺繍模様を選択することができる（ステップＳ１０）。ここでは、図６の刺繍模様１０２が選択されたものとする。刺繍模様１０２が選択されると（ステップＳ１０，ＹＥＳ）、図４（ａ）に示すサブルーチン（模様配置処理Ａ）が呼び出され（ステップＳ１２）、図７に示すようなレイアウト画面が液晶画面２５上に表示される。図７のレイアウト画面は、刺繍ミシンの縫製可能範囲１０３、選択刺繍模様の大きさに対応する枠１１０、イメージキー１０４、８個の矢印キー１０５、左右反転キー１０６、９０度回転キー１０７、配置終了キー１０８、リセットキー１０９及び戻るキー１１１が表示されるものとする。
【００３６】
ここで、矢印キー１０５は縫製可能範囲１０３内で矢印の方向に選択された刺繍模様（枠１１０）を移動させるためのキーである。（当該実施の形態では、矢印キーを１回押すことによって、選択された刺繍模様（枠１１０）を矢印方向に０．１ｍｍ移動させることができるように構成する。）また、イメージキー１０４は、配置後の刺繍模様の状態をイメージ表示させるためのキーであり、左右反転キー１０６は、選択された刺繍模様を左右反転させるためのキーであり、９０度回転キー１０７は、選択された刺繍模様を９０度回転させるためのキーであり、リセットキー１０９は、編集された刺繍模様を編集前の状態に戻すためのキーである。なお、配置終了キー１０８及び戻るキー１１１に関しては後述する。
【００３７】
なお、図７に示されているキー配置は、単なる一例であって、例えば、選択された刺繍模様を回転させるための回転キー、刺繍模様の配列を変更するためのキー、刺繍模様の間隔を変更するためのキーを設け、縫製模様を編集することもできる。
【００３８】
レイアウト画面が表示された後、ＣＰＵ２は、移動キー（矢印キー１０５）が押されたか否かを判断する（ステップＳ４０）。移動キーが押された場合（ステップＳ４０，ＹＥＳ）には、移動キーによって設定された移動量に基づき、表示データが処理され（ステップＳ４２）、これに伴い、図８に示すように液晶画面内の縫製可能領域内で枠１１０（選択された刺繍模様）が移動する。しかし、このように枠１１０が移動している間に、刺繍枠は移動しない。
【００３９】
その後、移動キーが押されなかった場合（ステップＳ４０，ＮＯ）または表示データ処理（ステップＳ４２）の後、「配置終了」キーが押されたか否かが判断される（ステップＳ４４）。配置終了キーが押されない場合（ステップＳ４４，ＮＯ）の場合には上記ステップＳ４０乃至Ｓ４４が繰り返され、一方、配置終了キーが押された場合（ステップＳ４４，ＹＥＳ）には上記模様配置処理を終了し、図３のメインルーチンに戻る。このように構成することによって、選択された刺繍模様の一部分毎に配置設定が行われる場合には、最終的に配置処理が終了するまで刺繍枠を移動させていないので、布が移動することに伴う消費電力及び騒音を低減できるとともに、無駄な刺繍枠の移動を低減して水平移動機構の短命化を防止できる。なお、縫い針と布との相対移動が休止している縫製模様の配置設定の間に、前記縫い針と前記布とを選択的に相対移動させるための手段を設け、作業者の要望に応じて縫い針を縫製模様の配置位置に移動させ、より正確に縫製位置を確認できるようにすることもできる。
【００４０】
また、レイアウト画面表示において、戻るキー１１１が押されると（ステップＳ２０，ＹＥＳ）、模様選択画面（図６）に再び戻り、上記ステップＳ８〜Ｓ１２が繰り返され、複数の模様を選択することができる。
【００４１】
上記ステップＳ４乃至Ｓ２０は、縫製開始キー２６（図１）が押されるまで行われる。レイアウト画面表示の時に、刺繍ミシン本体に設けられた縫製開始キー２６が押されると（ステップＳ１６，ＹＥＳ）選択された刺繍模様の編集状態に基づき刺繍データが作成され、制御部の制御の下で加工布２２の張られた刺繍枠が縫い針に対して相対的に移動し、縫製が行われる（ステップＳ１８）。
【００４２】
次に、配置編集刺繍モードが選択されなかった場合について説明する。
配置編集刺繍モードが選択されない場合（ステップＳ３，ＮＯ）にも同様に、図５に示す模様種類選択画面が液晶画面２５に表示される（ステップＳ２４）。次に、刺繍データ処理回路は、表示された模様種類選択画面の中から１つの模様種類が選択されるまで待機状態となる（ステップＳ２６）。ここでも、図５の模様種類１０１が選択されたものとする。図５の模様種類１０１が選択されると（ステップＳ２６，ＹＥＳ）、図６に示す模様選択画面が液晶画面２５に表示される（ステップＳ２８）。
【００４３】
この時、「戻る」（戻るキー）が押されると（ステップＳ２９，ＹＥＳ）、模様種類選択画面（図５）に再び戻り、上記ステップＳ２４〜Ｓ２９が繰り返される。
【００４４】
一方、模様選択画面（図６）が表示されている時に、表示された模様の中から刺繍模様を選択することができる（ステップＳ３０）。ここでも、図６の刺繍模様１０２が選択されたものとする。刺繍模様１０２が選択されると（ステップＳ３０，ＹＥＳ）、図９に示すように、選択された模様が液晶画面２５上に表示される（ステップＳ３１）。
【００４５】
図９のように模様が選択された状態で「レイアウト」（レイアウトキー）が押されると（ステップＳ３４，ＹＥＳ）、図４（ｂ）に示すサブルーチン（模様配置処理Ｂ）が呼び出され（ステップＳ３６）、配置編集刺繍モードの場合と同様であり、図７に示すようなレイアウト画面が液晶画面２５上に表示される。当該実施の形態におけるレイアウト画面のキー配置は、前記の場合と同様であり、詳細な説明は省略する。
【００４６】
レイアウト画面が表示された後、ＣＰＵ２は、移動キー（矢印キー１０５）が押されたか否かを判断する（ステップＳ５０）。移動キーが押された場合（ステップＳ５０，ＹＥＳ）には、移動キーによって設定された移動量に基づき、表示データが処理され（ステップＳ５２）、これに伴い、図８に示すように液晶画面内の縫製可能領域内で枠１１０（選択された刺繍模様）が移動する。そして、加工布を縫い針に対して相対的に移動させる旨を報知し（ステップＳ５３）、移動キーによって設定された移動量に基づき、刺繍データが処理され、制御装置が当該処理された刺繍データに基づき水平移動機構１２を制御し、加工布２２の張られた刺繍枠を縫い針に対して相対的に移動させる（ステップＳ５４）。
【００４７】
その後、移動キーが押されなかった場合（ステップＳ５０，ＮＯ）または刺繍枠の移動処理（ステップＳ５４）の後、「配置終了」キー１０８が押されたか否かが判断される（ステップＳ５６）。配置終了キーが押されない場合（ステップＳ５６，ＮＯ）の場合には上記ステップＳ５０乃至Ｓ５６が繰り返され、一方、配置終了キーが押された場合（ステップＳ５６，ＹＥＳ）には上記模様配置処理を終了し、図３のメインルーチンに戻る。このように構成することによって、縫製模様の全体を一律の配置状態で配置する場合には、選択された刺繍模様の配置状態に対応させて刺繍枠を移動させているので、縫製開始キー２６（図１）を押すことによって即座に縫製を開始することができる。
【００４８】
一方、図９のように模様が選択された状態で戻るキー１１１が押されると（ステップＳ３８，ＹＥＳ）、模様選択画面（図６）に再び戻り、上記ステップＳ２８〜Ｓ３８が繰り返され、複数の模様を選択することができる。
【００４９】
上記ステップＳ２４乃至Ｓ３８は、縫製開始キー２６（図１）が押されるまで行われる。刺繍ミシン本体に設けられた縫製開始キー２６が押されると（ステップＳ３３，ＹＥＳ）選択された刺繍模様の編集状態に基づき刺繍データが作成され、制御部の制御の下で刺繍枠が移動し、縫製が行われる（ステップＳ１８）。
【００５０】
なお、模様種類選択画面（図５）及び模様選択画面（図６）のそれぞれのデータは、２値のビットマップデータとして、刺繍ミシン２０内のＲＯＭ３またはフロッピーディスク、フラッシュメモリ等の外部の記録媒体に記録されている。これらのデータは、ＣＰＵ２からの命令に従って必要に応じて読み出され、液晶画面２５上に表示される。
【００５１】
【発明の効果】
以上説明したように、請求項１記載の縫製装置によれば、選択された縫製模様の全体を配置設定する場合には、縫製模様の全体の配置設定に対応させて、縫い針と布とを相対的に移動させ、選択された縫製模様を一部分毎に配置設定する場合には、縫製模様の配置設定の間、縫い針と布との相対移動を休止させている。このため、縫製模様の全体を一律の配置状態で配置する場合には、選択された刺繍模様の配置状態に対応させて刺繍枠を移動させているので、即座に縫製を開始することができる。一方、選択された刺繍模様の一部分毎に配置設定が行われる場合には、最終的に配置処理が終了するまで刺繍枠を移動させていないので、布が移動することに伴う消費電力及び騒音を低減できるとともに、無駄な刺繍枠の移動を低減して水平移動機構の短命化を防止できる。
【００５２】
また、請求項２記載の縫製装置によれば、選択された縫製模様の全体を配置設定する場合には、縫製模様の全体の配置設定に対応させて前記縫製模様を表示し、選択された縫製模様を一部分毎に配置設定する場合には、選択された縫製模様の一部分毎の配置設定に対応させて前記縫製模様を表示しているので、縫い針と布との相対移動の有無に拘らず、縫製模様の編集状態を視覚的に確認することができる。
【００５３】
また、請求項３記載の縫製装置によれば、縫製模様の全体を一律の配置状態で配置する場合には、前記縫い針と前記布とが相対的に移動する前に、前記縫い針と前記布とが相対的に移動する旨を報知しているので、前記相対移動が行われることを視覚的に認識することができる。
【００５４】
また、請求項４記載の縫製装置によれば、選択された縫製模様を一部分毎に配置設定され、縫い針と布との相対移動が休止している縫製模様の配置設定の間に、前記縫い針と前記布とを選択的に相対移動させるための手段を更に備えているので、作業者の要望に応じて縫い針を縫製模様の配置位置に移動させることができ、より正確に縫製位置を確認することができる。
【００５５】
なお、請求項５乃至８記載の縫製装置によっても、それぞれ請求項１乃至４記載の縫製装置と同様の効果を奏する。
【図面の簡単な説明】
【図１】家庭用刺繍ミシンの外観を示す斜視図である。
【図２】刺繍データ処理回路の内部構成を示すブロック図である。
【図３】刺繍データの作成処理を示すフローチャートである。
【図４】模様配置処理を示すフローチャートである。
【図５】液晶画面に表示された模様種類選択画面の一例である。
【図６】液晶画面に表示された模様選択画面の一例である。
【図７】液晶画面に表示されたレイアウト画面の一例である。
【図８】液晶画面に表示されたレイアウト画面の一例である。
【図９】液晶画面に表示された選択された模様を示す画面の一例である。
【符号の説明】
２…ＣＰＵ
３…ＲＯＭ
４…ＲＡＭ
５…フラッシュメモリ装置
７…液晶ディスプレイ
１０…フラッシュメモリ
２０…家庭用ミシン
【図１】
0003582197.tif 000002
【図２】
0003582197.tif 000003
【図３】
0003582197.tif 000004
【図４】
0003582197.tif 000005
【図５】
0003582197.tif 000006
【図６】
0003582197.tif 000007
【図７】
0003582197.tif 000008
【図８】
0003582197.tif 000009
【図９】
0003582197.tif 000010